【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】
アナログ信号が入力される信号線と、走査線と、電源線と、複数のトランジスタと、を有する表示装置であって、
前記信号線にソース又はドレインの一方が、前記電源線にソース又はドレインの他方が、前記走査線にゲートが電気的に接続される第１のトランジスタと、
前記第１のトランジスタのソース又はドレインの他方にゲートが、前記電源線にソース又はドレインの一方が、発光素子にソース又はドレインの他方が電気的に接続される第２のトランジスタと、
前記発光素子の点灯期間を制御する回路と、
を有することを特徴とする表示装置。
【請求項２】
アナログ信号が入力される信号線と、走査線と、電源線と、複数のトランジスタと、容量素子と、を有する表示装置であって、
前記信号線にソース又はドレインの一方が、前記電源線にソース又はドレインの他方が、前記走査線にゲートが電気的に接続される第１のトランジスタと、
前記第１のトランジスタのソース又はドレインの他方にゲートが、前記電源線にソース又はドレインの一方が、発光素子にソース又はドレインの他方が電気的に接続される第２のトランジスタと、
前記容量素子は前記第２のトランジスタのゲートとソースとの間に電気的に接続され、当該容量素子の両端に電気的に接続される点灯期間制御回路と、
を有することを特徴とする表示装置。
【請求項３】
請求項２において、
前記点灯期間制御回路は第３のトランジスタ及び第４のトランジスタを有し、
前記第３のトランジスタのゲートは第２の信号線に電気的に接続され、
前記第４のトランジスタのゲートは第２の走査線に電気的に接続されることを特徴とする表示装置。
【請求項４】
請求項２において、
前記点灯期間制御回路は第３乃至第６のトランジスタを有し、
前記第１のトランジスタのゲートは第２の信号線に電気的に接続され、
前記第２のトランジスタのゲートは第２の走査線に電気的に接続され、
前記第３のトランジスタのゲートは第３の信号線に電気的に接続され、
前記第４のトランジスタのゲートは第３の走査線に電気的に接続されることを特徴とする表示装置。
【請求項５】
請求項２において、
前記点灯期間制御回路は第３乃至第５のトランジスタ、及び第２の容量素子を有し、
前記第３のトランジスタのゲートは前記第２の容量素子及び前記第５のトランジスタのソース又はドレインの一方に電気的に接続され、
前記第４のトランジスタのゲートは第２の走査線に電気的に接続され、
前記第５のトランジスタのソース又はドレインの他方は第２の信号線に電気的に接続されることを特徴とする表示装置。
【請求項６】
アナログ信号が入力される信号線と、走査線と、電源線と、複数のトランジスタと、容量素子と、を有する表示装置であって、
前記信号線にソース又はドレインの一方が、前記電源線にソース又はドレインの他方が、前記走査線にゲートが電気的に接続される第１のトランジスタと、
前記第１のトランジスタのソース又はドレインの他方にゲートが、前記電源線にソース又はドレインの一方が、発光素子にソース又はドレインの他方が電気的に接続される第２のトランジスタと、
前記容量素子は第２のトランジスタのゲートとソースとの間に電気的に接続され、
前記第２のトランジスタと、発光素子との間に点灯期間制御回路が電気的に接続されることを特徴とする表示装置。
【請求項７】
請求項６において、
前記点灯期間制御回路は、第３乃至第５のトランジスタ、及び第２の容量素子を有し、
前記第３及び第４のトランジスタは互いのソース又はドレインの一方及び他方が電気的に接続され、且つ前記互いのソース又はドレインの一方は前記第２のトランジスタのソース又はドレインの他方と、前記互いのソース又はドレインの他方は発光素子と電気的に接続され、
前記第４のトランジスタのゲートと前記第５のトランジスタのソース又はドレイン一方とが電気的に接続され、
前記第２の容量素子は、前記第４のトランジスタのゲートと前記第５のトランジスタのソース又はドレイン一方と、前記電源線との間に電気的に接続されることを特徴とする表示装置。
【請求項８】
アナログ信号が入力される信号線と、走査線と、電源線と、トランジスタと、複数のスイッチと、容量素子と、を有する表示装置であって、
前記信号線に第１の端子が電気的に接続される第１のスイッチと、
前記第１のスイッチの第２の端子に第１の端子が電気的に接続される第２のスイッチ及び第３のスイッチと、
前記電源線にソース又はドレインの一方が、前記第１のスイッチの第２の端子、前記第２のスイッチの第１の端子、及び前記第３のスイッチの第１の端子にソース又はドレインの他方が電気的に接続されるトランジスタと、
前記容量素子は、前記トランジスタのゲートとソースとの間に電気的に接続され、当該容量素子の両端に電気的に接続される点灯期間制御回路と、
を有することを特徴とする表示装置。
【請求項９】
アナログ信号が入力される信号線と、走査線と、電源線と、複数のトランジスタと、複数のスイッチと、容量素子と、を有する表示装置であって、
前記信号線に第１の端子が電気的に接続される第１のスイッチと、
前記第１のスイッチの第２の端子に第１の端子が電気的に接続される第２のスイッチと、
ソース又はドレインの一方が、前記第１のスイッチの第２の端子及び前記第２のスイッチの第１の端子に、ソース又はドレインの他方が前記電源線に電気的に接続される第１のトランジスタと、
ゲートが前記第２のスイッチの第２の端子、及び前記第１のトランジスタのゲートに、ソース又はドレインの一方が前記電源線に、ソース又はドレインの他方が発光素子に電気的に接続される第２のトランジスタと、
前記容量素子は前記第２のトランジスタのゲートとソースとの間に電気的に接続され、当該容量素子の両端に電気的に接続される点灯期間制御回路と、
を有することを特徴とする表示装置。
【請求項１０】
請求項８又は９において、前記複数のスイッチはそれぞれトランジスタにより構成されることを特徴とする表示装置。
【請求項１１】
アナログ信号が入力される第１の信号線と、第１の走査線と、電源線と、複数のトランジスタと、容量素子と、前記第１の信号線にソース又はドレインの一方が、前記電源線にソース又はドレインの他方が、前記第１の走査線にゲートが電気的に接続される第１のトランジスタと、前記第１のトランジスタのソース又はドレインの他方にゲートが、前記電源線にソース又はドレインの一方が、発光素子にソース又はドレインの他方が電気的に接続される第２のトランジスタと、前記容量素子は前記第２のトランジスタのゲートとソースとの間に電気的に接続され、当該容量素子の両端に電気的に接続される点灯期間制御回路と、を有する表示装置であって、
前記点灯期間制御回路は第３及び第４のトランジスタを有し、
前記第３のトランジスタのゲートは第２の信号線に電気的に接続され、
前記第４のトランジスタのゲートは第２の走査線に電気的に接続され、
前記第１の信号線と前記第２の信号線との選択を制御する第１のシフトレジスタと、
前記第２の走査線の選択を制御する第２のシフトレジスタと、
前記第１の走査線の選択を制御する第３のシフトレジスタと、を有することを特徴とする表示装置。
【請求項１２】
請求項１１において、前記第２の走査線と、前記第２のシフトレジスタとの間にはＡＮＤ回路が電気的に接続されることを特徴とする表示装置。
【請求項１３】
アナログ信号が入力される第１の信号線と、第１の走査線と、電源線と、複数のトランジスタと、第１の容量素子と、前記第１の信号線にソース又はドレインの一方が、前記電源線にソース又はドレインの他方が、前記第１の走査線にゲートが電気的に接続される第１のトランジスタと、前記第１のトランジスタのソース又はドレインの他方にゲートが、前記電源線にソース又はドレインの一方が、発光素子にソース又はドレインの他方が電気的に接続される第２のトランジスタと、前記第１の容量素子は前記第２のトランジスタのゲートとソースとの間に電気的に接続され、当該第１の容量素子の両端に電気的に接続される点灯期間制御回路と、を有する表示装置であって、
前記点灯期間制御回路は第３乃至第５のトランジスタ、及び第２の容量素子を有し、
前記第３のトランジスタのゲートは、前記第５のトランジスタのソース又はドレインの一方、及び前記第２の容量素子の一端に電気的に接続され、
前記第５のトランジスタのソース又はドレインの他方は、第２の信号線に電気的に接続され、
前記第４のトランジスタのゲートは第２の走査線に電気的に接続され、
前記第５のトランジスタのゲートと、前記第１のトランジスタのゲートは互いに電気的に接続され、
前記第１の信号線と、前記第２の信号線の選択を制御する第１のシフトレジスタと、
前記第２の走査線の選択を制御する第２のシフトレジスタと、
前記第１の走査線の選択を制御する第３のシフトレジスタと、を有することを特徴とする表示装置。
【請求項１４】
請求項３乃至請求項１３のいずれか一において、
前記第２の信号線は消去用信号線として機能することを特徴とする表示装置。
【請求項１５】
請求項３乃至請求項１３のいずれか一において、
前記第２の走査線は消去用走査線として機能することを特徴とする表示装置。
【請求項１６】
請求項５乃至請求項１３のいずれか一において、
前記第２の容量素子は消去用容量素子として機能することを特徴とする表示装置。
【請求項１７】
アナログ信号に基づき発光する発光素子の点灯期間を制御する回路と、を有する表示装置の駆動方法であって、
前記発光素子の点灯期間を制御する回路は、前記アナログ信号が所定の輝度に応じた値より大きい場合、前記発光素子の点灯期間を短くし制御して、前記所定の輝度を表示することを特徴とする表示装置の駆動方法。
【請求項１８】
アナログ信号に基づき発光する発光素子の点灯期間を制御する回路と、
第１の信号線にソース又はドレインの一方が、電源線にソース又はドレインの他方が、前記走査線にゲートが電気的に接続される第１のトランジスタと、
前記第１のトランジスタのソース又はドレインの他方にゲートが、前記電源線にソース又はドレインの一方が、発光素子にソース又はドレインの他方が電気的に接続される第２のトランジスタと、
前記第１の信号線を初期化する信号が入力される第３の信号線を有し、
前記回路は第３及び第４のトランジスタを有し、
前記第３のトランジスタのゲートは第２の信号線に電気的に接続し、
前記第４のトランジスタのゲートは第２の走査線に電気的に接続し、
前記第２の走査線が選択される間に、前記第３の信号線を選択することにより、前記アナログ信号が所定の輝度に応じた値より大きい場合、前記発光素子の点灯期間を短くし制御して、前記所定の輝度を表示することを特徴とする表示装置の駆動方法。
【請求項１９】
アナログ信号に基づき発光する発光素子の点灯期間を制御する回路と、
前記第１の信号線にソース又はドレインの一方が、前記電源線にソース又はドレインの他方が、前記走査線にゲートが電気的に接続される第１のトランジスタと、
前記第１のトランジスタのソース又はドレインの他方にゲートが、前記電源線にソース又はドレインの一方が、発光素子にソース又はドレインの他方が電気的に接続される第２のトランジスタと、
前記第１の信号線を初期化する信号が入力される第３の信号線を有し、
前記回路は第３及び第４のトランジスタを有し、
前記第３のトランジスタのゲートは第２の信号線に接続し、
前記第４のトランジスタのゲートは第２の走査線に接続し、
前記第２の走査線の選択に同期して前記第２の信号線が選択されることにより、前記発光素子が非発光となり、
前記第２の走査線が選択される間に、前記第３の信号線を選択するより、前記アナログ信号が所定の輝度に応じた値より大きい場合、前記発光素子の点灯期間を短くし制御して、前記所定の輝度を表示することを特徴とする表示装置の駆動方法。